(57)【要約】【課題】  記憶装置の容量を必要以上に大きくすることなく読み取り機能を十分発揮できる非接触通信媒体読み取りシステムを提供する。【解決手段】  RFIDリーダ２の読み取りアンテナ部２１は、タグ１の情報を定期的に読み取り、第１記憶部２３に記憶する。第２記憶部２５は第１記憶部２３を定期的に読み出し、その情報を記憶するとともに、情報を消去する。スタック制御部３１はネットワーク４を介してRFIDリーダ２のスタック制御部２４と通信し、第２記憶部２５の情報を情報スタックサーバ３に転送し、記憶部３２に登録する。スタック制御部３１は、転送された情報の受信を成功又は失敗した旨をスタック制御部２４に通知する。スタック制御部２４は、受信成功の場合は、第２記憶部２５の情報を消去し、受信失敗の場合は、再度転送動作を試みる。【選択図】        図１
2006059246.tif 000002
【特許請求の範囲】
【請求項１】
情報が記録された非接触通信媒体を読み取る読み取り手段と、
前記読み取られた情報を記憶する第１記憶手段と、
前記第１記憶手段に記憶された情報が転送される第２記憶手段と、
前記第１記憶手段に記憶された情報の前記第２記憶手段への転送を制御する制御手段とを備え、
該制御手段は、ネットワークを介して接続された情報蓄積装置に対し、前記第２記憶手段に記憶された情報を所定の条件で転送することを特徴とする非接触通信媒体の読み取り装置。
【請求項２】
前記制御手段は、前記第２記憶手段が定期的に前記第１記憶手段を読み出すように制御することを特徴とする請求項１記載の非接触通信媒体の読み取り装置。
【請求項３】
前記制御手段は、前記読み取り手段が読み取りを行う毎に前記第１記憶手段がその記憶した情報を前記第２記憶手段に転送するように制御することを特徴とする請求項１記載の非接触通信媒体の読み取り装置。
【請求項４】
前記読み取り手段は、前記非接触通信媒体から情報とその識別情報を読み取り、前記第１記憶手段は、前記識別情報・情報を記憶し、前記非接触通信媒体が前記読み取り手段の通信範囲からはずれると、前記第１記憶手段に記憶した識別情報・情報が第２記憶手段に転送されると共にその識別情報・情報を第１記憶手段から消去し、
前記第２記憶手段は、前記第１記憶手段から転送された識別情報・情報を記憶する際、管理情報を付加して記憶することを特徴とする請求項３記載の非接触通信媒体の読み取り装置。
【請求項５】
前記非接触通信媒体は、非接触ICモジュールを内蔵したタグ又はカードであることを特徴とする請求項１〜４のいずれか１項記載の非接触通信媒体の読み取り装置。
【請求項６】
請求項１ないし５のいずれかに記載に非接触通信媒体の読み取り装置と、
前記読み取り装置とネットワークを介して接続され、前記第２記憶手段に記憶された情報が転送される記憶手段を備えた情報蓄積装置とからなることを特徴とする非接触通信媒体の読み取りシステム。
【発明の詳細な説明】
【技術分野】
【０００１】
本発明は、非接触ICモジュールを内蔵したICタグ、ICカード、RFIDタグ等の非接触通信媒体から情報を読み取り、サーバ等に送信する非接触通信媒体の読み取り装置およびシステムに関するものである。
【背景技術】
【０００２】
ICチップとアンテナコイルからなる非接触ICモジュールを内蔵するICカードやICタグ、RFID（Radio Frequency Identification）タグは、例えば鉄道の乗車券・定期券機能や電子マネー機能、プリペイド機能、身分証明書機能等を備えたり、あるいは人や商品等の動体に関する情報が記録され、それらの動体の動向を管理するシステム等において広く利用されつつある（例えば、特許文献１参照）。このようなICカード、ICタグ、RFIDタグ等を用いるシステムとして、カードやタグに記録されている情報をリーダ／ライタが読み取り、読み取った情報を記憶装置に一時的に保存した後、サーバに転送し、サーバにおいて情報を保管するものがある。
【特許文献１】特開２００２−３１３８４４号公報
【発明の開示】
【発明が解決しようとする課題】
【０００３】
上記のようにリーダ／ライタが読み取った情報を一時保存した後、サーバに転送するシステムにおいては、情報を一時保存するための記憶装置の容量が必要以上に大きいとリーダ／ライタが余計な読み取り動作をしたり、また記憶装置の容量が小さいと読み取り回数が制限されてしまい、読み取り機能を十分発揮できなくなるという問題があった。
従って、本発明は上記の問題を解決し、記憶装置の容量を必要以上に大きくすることなく読み取り機能を十分発揮できる非接触通信媒体の読み取りシステムを提供することを課題とする。
【課題を解決するための手段】
【０００４】
本発明による非接触通信媒体の読み取り装置は、情報が記録された非接触通信媒体を読み取る読み取り手段と、前記読み取られた情報を記憶する第１記憶手段と、前記第１記憶手段に記憶された情報が転送される第２記憶手段と、前記第１記憶手段に記憶された情報の前記第２記憶手段への転送を制御する制御手段とを備え、該制御手段は、ネットワークを介して接続された情報蓄積装置に対し、前記第２記憶手段に記憶された情報を所定の条件で転送することを特徴とする。
また本発明は、前記第２記憶手段が定期的に前記第１記憶手段を読み出すように制御することを特徴とする。
また本発明は、前記読み取り手段が読み取りを行う毎に前記第１記憶手段がその記憶した情報を前記第２記憶手段に転送するように制御することを特徴とする。
また前記読み取り手段は、前記非接触通信媒体から情報とその識別情報を読み取り、前記第１記憶手段は、前記識別情報・情報を記憶し、前記非接触通信媒体が前記読み取り手段の通信範囲からはずれると、前記第１記憶手段に記憶した識別情報・情報が第２記憶手段に転送されると共にその識別情報・情報を第１記憶手段から消去し、前記第２記憶手段は、前記第１記憶手段から転送された識別情報・情報を記憶する際、管理情報を付加して記憶することを特徴とする。
また前記非接触通信媒体は、非接触ICモジュールを内蔵したタグ又はカードであることを特徴とする。
また本発明は、前記の読み取り装置と、この読み取り装置にネットワークを介して接続され、前記第２記憶手段に記憶された情報が転送される記憶手段とを備えた情報蓄積処理装置とからなるものである。
【発明の効果】
【０００５】
本発明によれば、非接触通信媒体の読み取り装置に第１、第２記憶手段を設け、第１記憶手段側がその記憶した情報を第２記憶手段に書き込むか、又は第２記憶手段側が第１記憶手段を読み出しにいくようにし、各記憶手段に保持した情報を不要になった時点で消去するようにしたので、各記憶手段の記憶容量を不必要に大きくすることなく、頻繁な読み取りにも対応できる非接触通信媒体の読み取りシステムを実現することができる。
【発明を実施するための最良の形態】
【０００６】
以下、本発明の実施の形態を図面と共に説明する。
図１は本発明の第１の実施の形態による非接触ICモジュールのリーダシステムの構成を示すブロック図である。
図１において、１は非接触ICモジュールを内蔵したICカード、ICタグ、RFIDタグ等の非接触通信媒体であり、ここではRFIDタグ(以下単にタグ１と言う)として説明する。２はタグ１を読み取り、読み取った情報を一時保存した後、情報スタックサーバ３にネットワーク４を介して転送するRFIDリーダ、３はRFIDリーダ２から転送された情報を保存管理する情報蓄積装置としての情報スタックサーバである。
【０００７】
RFIDリーダ２において、２１はタグ１と非接触で通信してタグ１に記録された情報を読み取る読み取りアンテナ部、２は読み取りアンテナ部２１の読み取りを制御する読み取り制御部で、読み取った情報を記憶する第１記憶部２３を備える。２４はスタック制御部で、第１記憶部２３を定期的に読み出し、読み出された情報を第２記憶部２５に記憶し、この記憶した情報をネットワーク４を介して情報スタックサーバ３に転送する。
【０００８】
情報スタックサーバ３において、３１はスタック制御部で、RFIDリーダ２のスタック制御部２４とネットワーク４を介して通信し、第２記憶部２５からの情報の転送を制御する。３２は転送された情報を保存する記憶部である。
【０００９】
次に、上記構成による動作について説明する。
読み取りアンテナ部２１は、読み取り制御部２２の制御に基づいて定期的に読み取り動作を行い、通信範囲にあるタグ１と通信してタグ１に記録された情報を読み取る。読み取られた情報は第１記憶部２３に記憶される。スタック制御部２４は、第１記憶部２３の読み出しを定期的に行い、読み出された情報を第２記憶部２５に記憶する。このとき第１記憶部２３の情報を消去するか、又は読み取りアンテナ部２１が次に読み取りを行ったときに、その読み取った情報で上書きすることにより消去する。
【００１０】
一方、情報スタックサーバ３のスタック制御部３１はネットワーク４を介してRFIDリーダ２のスタック制御部２４と通信し、第２記憶部２５に記憶された情報の転送を制御する。スタック制御部２４は、第２記憶部２５の情報をネットワーク４を介して情報スタックサーバ３に転送する。転送された情報は記憶部３２に登録されて保存される。スタック制御部３１は、転送された情報の受信に成功した場合は、その旨をスタック制御部２４に通知する。また、転送された情報の受信を失敗した場合も、その旨をスタック制御部２４に通知する。スタック制御部２４は、受信成功の通知を受け取った場合は、第２記憶部２５の情報を消去する。また、受信失敗の通知を受け取った場合は、再度転送動作を試みる。
【００１１】
本実施の形態によれば、第１記憶部２３は、記憶した情報が第２記憶部２５に転送されて不要になり次第消去されるので、記憶容量を不必要に大きくすることなく、頻繁な読み取りにも対応することができる。また、第２記憶部２５は、記憶した情報が情報スタックサーバ３に転送され、情報スタックサーバ３から受信成功の通知を受け取り次第消去されるので、記憶容量を不必要に大きくすることなく、また、第１記憶部２３からの頻繁な情報の転送にも対応することができる。
【００１２】
図２は本発明の第２の実施の形態による非接触ICモジュールのリーダシステムの構成を示すブロック図であり、図１と対応する部分には同一番号を付して重複する説明は省略する。
図２において、タグ１には、識別情報としてのIDが情報(図ではデータ)と共に記録されている。読取アンテナ部２１が通信範囲にあるタグ１と通信してIDと情報を読み取ると、このID・情報は第１記憶部２３に新規に追加記憶される。読取制御部２２は、ID・情報が新規に追加される毎に、そのID・情報を第２記憶部２５に書き込む。このとき第２記憶部２５には、ID・情報に管理IDが付され、管理ID・ID・情報として記憶される。また、タグ１が一旦通信範囲から離れると、第１記憶部２３のID・情報は消去される。第１記憶部２３に記憶されたID・情報が消去されない限り、再度同じタグ１が読み取られた場合は、そのID・情報は新規追加とはならず、以前に読み取った同じIDに対する情報の更新となる。即ち、同じタグ１が２重に読み取られた場合は、情報の更新として扱われる。
【００１３】
図３は第１記憶部２３と第２記憶部２５の情報保持例を示すもので、同図（a）のように第１記憶部２３には、ID１，２，３に対してそれぞれ情報（データ）A,B,Cが記憶されている。これに対して同図（b）のように第２記憶部２５には、管理ID１，２，３，４に対してそれぞれID１，２，３，１と情報A,B,C,Aが順次登録されている。即ち、第２記憶部２５は、第１記憶部２３からID・情報が転送されてくる毎に管理IDを付して記憶するので、同じタグ１の２重読み取りに対してもそれぞれ登録される。その後、第２記憶部２５から情報スタックサーバ３の記憶部３２に対して各管理ID毎にID・情報が順次転送される。そして、スタック制御部３１は、スタック制御部２４に対して各管理ID・ID・情報の受信の成功・失敗に応じた通知を行う。スタック制御部２４は、受信が成功した旨の通知を受けた場合は、第２記憶部２５の対応する管理ID・情報・IDを消去し、受信が失敗した旨の通知を受けた場合は、再度転送を行う。
【００１４】
本実施の形態によれば、第１記憶部２３は、タグ１が通信範囲から外れると記憶した情報を第２記憶部２５に転送した後消去するので、記憶容量を不必要に大きくすることなく、頻繁な読み取りに対応することができる。さらに、同じタグ１の２重読み取りがあっても対応するIDの情報のみが更新される形になるので、記憶容量が不必要に消費されることがない。また、第２記憶部２５は、記憶した情報が情報スタックサーバ３に転送され、情報スタックサーバ３から受信成功の通知を受け取り次第消去されるので、記憶容量を不必要に大きくする必要がない。さらに、同じタグ１の２重読み取りに対してもそれぞれ管理IDを付して登録することができる。
【００１５】
尚、上記実施形態では、RFIDリーダ２は、タグ１への読み取り専用の装置であったが、情報スタックサーバ３からの情報を受け取り、タグ１へ書き込み書き込み機能をも備えていても良い。
【図面の簡単な説明】
【００１６】
【図１】本発明の第１の実施の形態による非接触ICモジュールのリーダシステムの構成を示すブロック図である。
【図２】本発明の第２の実施の形態による非接触ICモジュールのリーダシステムの構成を示すブロック図である。
【図３】第２の実施の形態における第１、第２記憶部の情報保持例を示す構成図である。
【符号の説明】
【００１７】
１：RFIDタグ（非接触通信媒体）                  ２：RFIDリーダ
３：情報スタックサーバ                          ４：ネットワーク
２１：読取アンテナ部                          ２２：読み取り制御部
２３：第１記憶部                              ２４：スタック制御部
２５：第２記憶部                              ３１：スタック制御部
３２：記憶部
【図１】
2006059246.tif 000003
【図２】
2006059246.tif 000004
【図３】
2006059246.tif 000005